(57)【要約】  【課題】  【解決手段】本発明は、壁やその他の面に写真、ポスター、および絵画等のアイテムを吊り下げるシステムに関する。写真（１）は、壁と同じ面の所定の範囲で、磁石を引き付ける素材により壁に固定される取付部材に接触する１以上のマグネットを示す。このシステムにより、写真の位置を水平方向（１６）および垂直方向（１７）のいずれにも調整することが可能である。マグネットは、壁と同じ面の水平軸および垂直軸の双方を中心に写真の傾きを変えることができる方法、および写真のために壁用取付部材および写真間の平行度における潜在的な違いを無くす方法により、写真に固定される。写真を掛けるとき、マグネットが写真から外れてしまう危険性があるが、結果的にはマグネット自体が取付部材の方へ動く。壁用取付部材は、スパイク（１３）またはフリクションサーチ素材を有し、これにより、取付部材が一本のねじ（１４）で固定されるときに壁に押し当てられ、写真の位置を調整しているときに取付部材が回転するのを防ぐ。取付部材には、いくつかの付加部が設けられる。これらは、写真の位置を調整しているときに、マグネットが取付部材から外れることを防ぐ。この付加部は、マグネットを壁面と平行に動かして壁用取付部材から取り外すことができるよう開口が設けられている。【選択図】図２
2008511352.tif 000002
【特許請求の範囲】
【請求項１】
写真、ポスター、絵画（以下、写真として説明する）を含む異なるアイテム（１）を、１以上の付加部と、前記写真に取り付けられる１以上のマグネットを利用して、
壁面の特定の範囲に取り付け磁石を引き付ける素材からなる壁用取付部材（７）を具える主に平らな面（以下、壁として説明する）に吊り下げるシステムにおいて、
前記マグネットの大きさが前記壁用取付部材（７）の付加部（１８）によって限定される領域より小さいため、前記壁用取付部材に継続して接触しているときに、前記マグネット（２）の大きさにより、前記マグネットの所定の移動を可能にすることを特徴とするシステム。
【請求項２】
請求項１に記載の（異なるアイテムを壁に）吊り下げるシステムにおいて、
前記壁面内の前記付加部（１８）が、前記マグネットの最大の大きさより大きな開口（１５）を少なくとも一つ具え、前記壁面に対して平行な動きにより、前記マグネットを前記取付部材（７）の係合から外すことができることを特徴とするシステム。
【請求項３】
請求項１または２のいずれか１項に記載の（異なるアイテムを壁に）吊り下げるシステムにおいて、
ピンを、当該ピンの同じ外形を有する少し大きめの穴に通して、前記写真用の取付部品（９）に取付けることにより、またはコード／ワイヤ（３）あるいは糸（８）を利用して前記マグネットを前記写真に固定することにより、前記マグネットが、前記写真に対して、前記写真の面の水平軸および垂直軸のいずれをも中心に傾きを変えることができるよう、マグネット（２）を固定することを特徴とするシステム。
【請求項４】
請求項１乃至３のいずれか１項に記載の（異なるアイテムを壁に）吊り下げるシステムにおいて、
少し大きめの穴を通って前記写真用の取付部品（９）に固定される、前記取付部品の厚さよりも長い前記ピンを使用することにより、またはコード／ワイヤ（３）または糸（８）を利用して前記マグネットを前記写真に固定することにより、前記マグネット（２）が、前記写真の面に対して垂直方向で、後方または前方に移動できる方法で固定されることを特徴とするシステム。
【請求項５】
請求項１乃至４のいずれか１項に記載の（異なるアイテムを壁に）吊り下げるシステムにおいて、
一つのねじ／釘（１４）により前記壁用の取付部材を固定し、前記壁に押し当てられる１以上のスパイク（１３）、および／または当該取付部材が前記壁に取付けられたときに前記取付部材（７）が回転するのを防ぐために摩擦抵抗を大きくした１以上の領域を前記壁用取付部材の裏側に設けることを特徴とするシステム。
【請求項６】
請求項１乃至５のいずれか１項に記載の（異なるアイテムを壁に）吊り下げるシステムにおいて、
前記壁用取付部材（７）に接触する前記マグネット（２）の表面が、全体的または部分的にフリクションサーチ面からなり、および／または前記マグネット（２）に接触する壁用取付部材（７）の表面が、全体的または部分的にフリクションサーチ面からなることを特徴とするシステム
【発明の詳細な説明】
【技術分野】
【０００１】
本発明は、主として平らな面（以下に壁として説明する）に写真、ポスター、絵画等のアイテムを吊り下げるシステムに関する。
【背景技術】
【０００２】
通常、写真やその他のアイテムは、壁に固定されるねじまたは釘を使用し、その頭部が壁から突出している。写真の裏側には、相対的に水平なコード／ワイヤまたは取付部材が挿入される穴のいずれかが設けられている。次いで、コード／ワイヤまたは取付部材が、壁から突出しているねじの頭部に掛けられる。写真の裏側で何が起きているのか把握できない状態で、通常と同じようにコード／ワイヤまたは取付部材をねじの頭部に固定することはしばしば困難である。さらに、しばしばコード／ワイヤがたわんで壁から離れる危険性があるため、ねじの頭部に固定するのは難しい。最終的に写真を壁に掛けられた場合でも、写真が所望の位置に掛かっていないことがよくある。したがって、コード／ワイヤを引っ張りあるいは緩めたりして位置を上げ下げする必要がある。写真を横方向に移動したい場合には、ねじを新しい場所に固定する必要がある。
【０００３】
米国第６６５１９４５および米国第６６７２５５１によると、磁石を具えるフックを壁に取り付ける原理が示されている。ワイヤが磁石を引き付ける力を有する素材から作られており、磁石により、写真の裏側のワイヤにフックを掛けるのが簡単になる。
【０００４】
英国第２１９１０８９には、フックとマグネットプレートを一体にした構造が示されている。このフックは壁に自由に配置することができ、壁はマグネットを引き付ける力を有する素材から作られることが提供されている。
【０００５】
この構造はさらに、マグネットプレートが、磁気素材および弾性ゴムからなる合金であることを特徴とする。これにより、プレートおよび壁の間の摩擦の共同作用が高くなり、写真を壁に固定する力が強くなる。
【０００６】
米国第５２６９０８３は、写真の裏側のマグネットを使って、１枚より多い写真を配置可能なより大きなフレームに写真を固定する原理を開示している。この特許では、マグネットが所定の厚さを有し、これにより写真を傾けられる端部が作られており、どのように写真の周囲に圧力をかけ写真を傾けて、写真を外すのかが示されている。この傾きにより、マグネットを固定していた金属からマグネットが外れる。
【発明の開示】
【発明が解決しようとする課題】
【０００７】
新規発明により実現されること：
１．壁用取付部材が付加部により囲まれているため、写真が金属との接触面から確実に滑り落ちないようにすることができる。
２．写真を壁と平行にスライドさせて、前記付加部を通して取り外すことにより、写真を金属から取り外すことができる。
３．壁に配置される吊り下げシステムの部材と、写真に設けられる部材を係合する場合、高度な正確さを要しないため、写真を掛ける際の仮止めが容易である。さらに、写真自体が係合を容易にする。
４．写真は、吊り下げシステムの大きさにより制限された壁面上の所定の範囲を垂直または水平に移動させることができるため、後の写真の位置調整が容易である。
【課題を解決するための手段】
【０００８】
適用方法
１以上の付加部と写真に取り付けられる１以上のマグネットとを利用して、磁石を引き付ける素材ででき、壁面の特定の範囲に取り付けられる壁用取付部材（７）を具える主に平らな面（以下、壁として説明する）に、写真、ポスター、絵画（以下、写真として説明する）を含む異なるアイテム（１）を吊り下げるシステムにおいて、
前記マグネットの大きさが、前記壁用取付部材（７）の付加部（１８）によって限定される領域より小さいため、前記壁用取付部材に継続して接触しているときに、前記マグネット（２）の所定の移動が可能であることを特徴とするシステムにより、前述の可能性を実現することができる。
【０００９】
吊り下げシステムの操作方法
マグネットが壁の取付部材に接触する限り、壁の所望の位置に写真を固定することができる。市場において最も強いマグネットの分類に属するネオジムタイプのマグネットを使用することは利点がある。
【００１０】
写真面、壁、ならびに取付部材の面とマグネットとの間の平行度の違いを均等にし、良い吊り下げを保証するために、マグネットは写真に固定され、コード／ワイヤあるいは糸、または代わりに、写真に固定される取付部材の穴を通して取り付けられるマグネットのピンにより、水平軸および垂直軸まわりに傾斜させることができる。
【００１１】
穴はピンの外形と同じ形状であるが、若干サイズが大きい。ピンの端部には、穴よりの大きい突起がある。これにより、ピンとマグネットが落下するのを防いでいる。
【００１２】
マグネットと写真を固定するこの原理により、写真の裏面に対して垂直的にマグネットを移動させることができる。これは、マグネット自体が取付部材の方へ動くので、壁の取付部材の面に配置される直前の、マグネットを引っかけるために近づける際に役に立つ。
【００１３】
簡単な取り付けを可能にするために、一のねじで取付部材を壁に固定することが好適である。
【００１４】
壁上で写真の位置を調整するときに、取付部材がこのねじの周りを回転するのを避けるべく、取付部材は、当該取付部材が壁に固定されたときに壁に押し当てられる湾曲したスパイクが設けられる。代替的に、フリクションサーチ素材（例えば、ラバーソール）で覆われた１以上の部分を取付部材の裏側に設けてもよい。
【００１５】
例えば、意図せずに写真の位置が調整され、または後に写真が意図せずに押されたときに、マグネットが壁の取付部材から外れないために、取付部材は、周辺部に沿って曲げられた付加部が設けられている。これらにより、マグネットが取付部や壁から滑り落ちるのが防止される。また、マグネットよりも大きな１以上の穴を付加部の端部に設けて、マグネットを滑らせることにより、意図的にマグネット／写真を壁から離すことはよいアイデアである。これにより、システムに比較的大きな力を生じさせる原因となる、写真を壁に垂直に引っ張ることを回避することができる。
【００１６】
マグネットからの力を最大限活用するために、取付部材またはマグネットのいずれかをフリクションサーチ素材で構成し、これは吊り下げシステムを支持する能力を高める方法である。
【発明を実施するための最良の形態】
【００１７】
図１は、コード／ワイヤおよび壁に設けられた取付部材（７）により固定され、壁に掛けられた写真を示す。徐々に動かすことなく、壁面上で水平方向（１６）および垂直方向（１７）に写真を移動させることができる。
【００１８】
図２、３、および４は、マグネット（２）の異なる取り付け方法を示す。図２は、ワイヤ／コード（３）で取り付ける方法を示し、図３は、糸（８）で取り付ける方法を示し、図４は、取付部材（９）の穴を通して取り付ける方法を示す。また、これらの図では、壁面の垂直軸（４）および水平軸（５）を中心として、写真の傾きを変えることができ、また壁に向う方向または壁から離れる方向（６）に写真を移動できることを示している。
【００１９】
さらに図４は、マグネットのピン（１１）が、取付部材（９）の大きめの穴により、どのように取り付けられるか示している。これにより、マグネットに対して水平方向（４）および垂直方向（５）の両方向に写真の傾きを変えることができる。
【００２０】
マグネットの穴より大きい直径の頭部を有するねじ（１０）が、マグネット（２）内に固定され、マグネットが落下することを防ぐ。
【００２１】
ピン（１１）は、厚い／分厚い取付部材よりも長いため、マグネットを取付部材に対して正しい角度に動かすことができる。
【００２２】
図５は、壁に取り付けられる状態の取付部材（７）を示す。取付部材は、一つの穴（１２）を具え、この穴にねじ（１４）を通して壁に固定される。さらに、取付部材がスパイク（１３）を具えていることが示されており、ねじ（１４）が固定されるときに、同時に壁に押し当てられ、これにより、写真の位置を調整したときに、取付部材が回転するのを回避する。
【００２３】
スパイクの代わりに、フリクションサーチ面、例えば、ラバーソール（図示せず）の領域を取付部材の裏側に付加してもよい。
【００２４】
さらに図５は、取付部材が、当該取付部材の周囲に沿っていくつかの小さなリム（１８）を具えていることを示している。これらのリムの目的は、意図せずにマグネットが取付部材（７）から滑り落ちることを回避することである。しかしながら、周辺部には、リムの開口（１５）を有するいくつかの領域がある。これらの開口の目的は、所要の場合に、マグネットを取付部材から滑り出させることができることである。これにより、写真を外して取付部材に対して正しい角度に移動する場合に、システム内の力を減らすことができる。
【図面の簡単な説明】
【００２５】
【図１】図１では、写真が壁に掛けられており、調整方法の詳細が示されている。
【図２】図２は、壁の取付部材、写真の裏側のコード／ワイヤに取付けられたマグネットを示す。マグネットは、まだ取付部材と接触していない。
【図３】図３は、コードに（垂直または水平に）取付けられたマグネットを示す。
【図４】図４は、写真の裏側に固定された取付部材の穴に設けられたマグネットを示す。
【図５】図５は、壁に取り付けるために作られた取付部材の設計である。
【符号の説明】
【００２６】
１．写真
２．マグネット
３．コード
４．マグネットに対して水平方向
５．マグネットに対して垂直方向
６．壁に向ってまたは壁から離れる動き
７．取付部材
８．糸による取付け
９．取付部材の大きめの穴
１０．ねじ
１１．ピン
１２．取付部材の穴
１３．取付部材のスパイク
１４．取付部材用のねじ
１５．取付部材のリムの開口
１６．可能な水平移動
１７．可能な垂直移動
１８．取付部材のリム
【図１】
2008511352.tif 000003
【図２】
2008511352.tif 000004
【図３】
2008511352.tif 000005
【図４】
2008511352.tif 000006
【図５】
2008511352.tif 000007
【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
写真、ポスター、絵画（以下、写真として説明する）を含む異なるアイテム（１）を、付加部および開口、ならびに前記写真に取り付けられる１以上のマグネットを利用して、
壁面の特定の範囲に取り付けられ磁石を引き付ける素材からなる壁用取付部材（７）を具える主に平らな面（以下、壁として説明する）に吊り下げるシステムにおいて、
前記マグネットの大きさが前記壁用取付部材（７）の付加部（１８）によって限定される領域より小さいため、前記壁用取付部材に継続して接触しているときに、前記マグネット（２）の大きさにより、前記マグネットの所定の移動を可能にすることを特徴とするシステム。
【請求項２】
請求項１に記載の（異なるアイテムを壁に）吊り下げるシステムにおいて、
前記壁面内の前記付加部（１８）が、前記マグネットの最大の大きさより大きな開口（１５）を具え、前記壁面に対して平行な動きにより、前記マグネットを前記取付部材（７）の係合から外すことができることを特徴とするシステム。
【請求項３】
請求項１または２のいずれか１項に記載の（異なるアイテムを壁に）吊り下げるシステムにおいて、
ピンを、当該ピンの同じ外形を有する少し大きめの穴に通して、前記写真用の取付部品（９）に取付けることにより、またはコード／ワイヤ（３）あるいは糸（８）を利用して前記マグネットを前記写真に固定することにより、前記マグネットが、前記写真に対して、前記写真の面の水平軸および垂直軸のいずれをも中心に傾きを変えることができるよう、マグネット（２）を固定することを特徴とするシステム。
【請求項４】
請求項１乃至３のいずれか１項に記載の（異なるアイテムを壁に）吊り下げるシステムにおいて、
少し大きめの穴を通って前記写真用の取付部品（９）に固定される、前記取付部品の厚さよりも長い前記ピンを使用することにより、またはコード／ワイヤ（３）または糸（８）を利用して前記マグネットを前記写真に固定することにより、前記マグネット（２）が、前記写真の面に対して垂直方向で、後方または前方に移動できる方法で固定されることを特徴とするシステム。
【請求項５】
請求項１乃至４のいずれか１項に記載の（異なるアイテムを壁に）吊り下げるシステムにおいて、
一つのねじ／釘（１４）により前記壁用の取付部材を固定し、前記壁に押し当てられる１以上のスパイク（１３）、および／または当該取付部材が前記壁に取付けられたときに前記取付部材（７）が回転するのを防ぐために摩擦抵抗を大きくした１以上の領域を前記壁用取付部材の裏側に設けることを特徴とするシステム。
【請求項６】
請求項１乃至５のいずれか１項に記載の（異なるアイテムを壁に）吊り下げるシステムにおいて、
前記壁用取付部材（７）に接触する前記マグネット（２）の表面が、全体的または部分的にフリクションサーチ面からなり、および／または前記マグネット（２）に接触する壁用取付部材（７）の表面が、全体的または部分的にフリクションサーチ面からなることを特徴とするシステム。
【国際調査報告】
2008511352.tif 000008
2008511352.tif 000009
2008511352.tif 000010
2008511352.tif 000011